(57)【要約】      （修正有）【課題】家庭などにおいて日常的に簡単に眼球運動を行い、脳の神経を刺激して脳の活性化を図り、また、視野が広くなる眼球運動補助具を提供する。【解決手段】眼球運動補助具１１は、補助具本体部１３と、補助具本体部１３に連接され使用者が把持する棒状の把持部４とを有する。注視マーク１２は、ＬＥＤで形成され、内側マーク部１２Ａ、中間マーク部１２Ｂおよび外側マーク部１２Ｃからなり、点灯スイッチ１５は、把持部４に設けられている。内側マーク部１２Ａは、中心円形部１２Ａａとその外側の中央環状部１２Ａｂとからなり、中間マーク部１２Ｂは、左右方向に延びる横瞳状部１２Ｂａと上下方向に延びる縦瞳状部１２Ｂｂとからなり、外側マーク部１２Ｃは、マーク部１２Ａ，１２Ｂの外側に配置され中央環状部１２Ａｂより大径の外側環状部となっている。【選択図】図２
0003198034.tif 000002
【実用新案登録請求の範囲】
【請求項１】
使用者が眼球運動をすることで、脳の神経に刺激を与えるのに用いられる眼球運動補助具であって、
前記使用者が見つめる注視マークが設けられている補助具本体部と、
前記補助具本体部に連接され前記使用者が把持する把持部とを有することを特徴とする眼球運動補助具。
【請求項２】
前記注視マークは、ＬＥＤで構成され、使用時に点灯又は点滅される、請求項１記載の眼球運動補助具。
【請求項３】
前記注視マークは、光を反射するシート材で形成されている、請求項１記載の眼球運動補助具。
【請求項４】
前記注視マークは、中央に配置される内側マーク部と、前記内側マーク部の周囲に配置される外側マーク部とを有する、請求項１〜３のいずれか１つに記載の眼球運動補助具。
【請求項５】
前記注視マークは、中央に配置される内側マーク部と、前記内側マーク部の周囲に配置される中間マーク部と、前記中間マーク部の外側に配置される外側マーク部とを有する、請求項１〜３のいずれか１つに記載の眼球運動補助具。
【考案の詳細な説明】
【技術分野】
【０００１】
本考案は、眼球運動によって脳の神経に刺激を与える眼球運動補助具に関するものである。
【背景技術】
【０００２】
一般に、身体を動かす運動やトレーニングはよく行われているが、脳の神経を刺激する眼球運動はほとんどされていない。
【０００３】
考案者は、眼球運動をすると、脳の神経が刺激され、脳の活性化が図れるだけでなく、眼球運動の範囲（眼球を動かす範囲）を広くすることで、視野が広くなり、広い範囲が見えるようになることを知見した。そのように視野が広くなり、広い範囲が見えるということは、例えば自動車の運転に有効である。
【０００４】
ところで、脳の神経に刺激を与える眼球運動誘導具として、眼部を覆い得る大きさの遮蔽体に、左右方向一列に複数の発光体を配置した発光体列を上下方向に３段配置し、各発光体列の一端から他端の向けて光の点が移動するように各発光体を順次点灯可能としたものが知られている（例えば、特許文献１参照）。
【先行技術文献】
【特許文献】
【０００５】
【特許文献１】特開２００２−６５６０９号公報
【考案の概要】
【考案が解決しようとする課題】
【０００６】
上記特許文献１記載のものは、使用時には、遮蔽体によって眼部を覆って眼球運動を行うので、脳の神経に刺激を与えることはできても、眼球運動を行う範囲については制約を受け、視野を広くするという効果を得ることはできない。
【０００７】
本考案は、家庭などにおいて、日常的に眼球運動を簡単に行うことができ、脳の神経を刺激して脳の活性化を図れるのに加えて、視野が広くなるようにすることができる眼球運動補助具を提供することを目的とする。
【課題を解決するための手段】
【０００８】
請求項１の眼球運動補助具は、使用者が眼球運動をすることで、脳の神経に刺激を与えるのに用いられる眼球運動補助具であって、前記使用者が見つめる注視マークが設けられ補助具本体部と、前記補助具本体部に連接され前記使用者が把持する把持部とを有することを特徴とする。
【０００９】
このようにすれば、この補助具を使用者が手でもって左右交互に、例えば略８の字形に動かすことによって補助具本体部の注視マークも略８の字状に動くので、使用者が前記注視マークの動きに合わせて眼球を動かすという眼球運動をすることにより使用者の脳の神経に刺激を与え、脳の活性化を図ることができ、併せて血液の流れもよくなる。特に、使用者が、注視マークを見つめながら眼球を動かすようにしているので、注視マークが広い範囲にわたって動いても比較的容易に注視マークの動きに追従して眼球を動かすことができ、それによって使用者の視野が広くなるように訓練することができる。
【００１０】
この場合、請求項２に記載のように、前記注視マークは、ＬＥＤで構成され、使用時に点灯される、ようにすることができる。
【００１１】
このようにすれば、注視マークをＬＥＤによって構成することで、注視マークが発光するので、眼球運動をする際に使用者が注視マークをより見やすくなり、注視マークに追従して眼球を広範囲に動かすことがより容易になる。
【００１２】
また、請求項３に記載のように、前記注視マークは、光を反射するシート材で形成されている、ようにしてもよい。
【００１３】
このようにすれば、光を反射するシート材を用いることで、ＬＥＤを用いるよりも安価に製造することができ、ＬＥＤを用いる場合と同様な効果が得られる。
【００１４】
請求項４に記載のように、前記注視マークは、中央に配置される内側マーク部と、前記内側マーク部の周囲に配置される複数の外側マーク部とを有する、ことが望ましい。
【００１５】
このようにすれば、内側マーク部が外側マーク部によって周囲を囲まれることで、注視マークが全体として大きくなり、注視マークに追従して眼球を動かしやすくなる。
【００１６】
請求項５に記載のように、前記注視マークは、中央に配置される内側マーク部と、前記内側マーク部の周囲に配置される中間マーク部と、前記中間マーク部の外側に配置される外側マーク部とを有する、ことが望ましい。
【００１７】
このようにすれば、中央の内側マーク部が中間マーク部や外側マーク部によって周囲を囲まれることで、注視マーク全体が見やすくなり、注視マークの動きに追従して眼球をより動かしやすくできる。
【考案の効果】
【００１８】
本考案は、使用者が把持部を手でもって補助具本体部を動かし、前記補助具本体部の注視マークの動きを使用者が眼球で追従するようにすることで、使用者の眼球での追従がしやすくなり、眼球を大きく広範囲に動かすことができる。よって、このような眼球運動をすることにより使用者の脳の神経に刺激を与え、脳の活性化を図ることができるのに加えて、使用者の視野を広くすることができる。
【図面の簡単な説明】
【００１９】
【図１】本考案の、基本となる一実施形態である眼球運動補助具の説明図である。
【図２】本考案の、最も好ましい実施形態である眼球運動補助具の説明図である。
【考案を実施するための形態】
【００２０】
以下、本考案の実施の形態を図面に沿って説明する。
（基本となる実施形態）
図１は本考案、基本となる一実施形態である眼球運動補助具の説明図である。
【００２１】
図１において、１は眼球運動補助具で、使用者が眼球運動をすることで、脳の神経に刺激を与えるのに用いるものである。
【００２２】
眼球運動補助具１は、使用者が眼球運動をする際に使用者が見つめる注視マーク２が設けられた板状の補助具本体部３と、補助具本体部３に連接され使用者が眼球運動をする際に使用者が把持する棒状の把持部４とを有する。そして、眼球運動を行う際には、使用者が左右いずれかの手で把持部４をしっかりと把持して行うことになる。
【００２３】
注視マーク２は、中央に配置される内側マーク部２Ａと、内側マーク部２Ａの周囲に配置される複数の外側マーク部２Ｂとを有する。内側および外側マーク部２Ａ，２Ｂは、注視されやすいように、光を反射するシート材で形成されている。なお、光を反射するシート材に代えて、普通の電球やＬＥＤを使用して内側及び外側マーク部２Ａ，２Ｂを形成することも可能である。
【００２４】
また、注視マーク２において、内側マーク部２Ａは外側マーク部２Ｂよりも面積が大きくなっている。注視マーク２（マーク部２Ａ，２Ｂ）の形状や色彩は特に限定されず、外側マーク部２Ｂは必要に応じて省くこともできる。
【００２５】
このような眼球運動補助具１を使用者が手でもって、例えば左右交互に略８の字形に動かすと、注視マーク２も略８の字形に動く。その注視マーク２の動きに追従して眼球を動かし、必要に応じて首を動かすことで、脳の神経に刺激を与える眼球運動を行うことができる。このような運動（一連の眼球運動）をミミヅク運動という。特に、動いている注視マーク２を見ながら眼球を動かすので、注視マーク２に追従して眼球を動かすことが容易になり、広範囲にわたって眼球を無理なく動かすことができる。このようなミミヅク運動でもって脳の神経に刺激を与え、脳の活性化を図ることができ、併せて血液の流れもよくなる。
【００２６】
このような広範囲にわたる眼球運動によって視野が広くなるので、自動車の運転の際にも、周囲がよく見えるようになる。よって、自動車事故の防止にも非常に効果がある。
【００２７】
また、眼球運動補助具１を使って眼球運動をすることにより脳の神経を刺激するため、身体全体の動きを良くすることができるので、広い視野が求められるスポーツ選手などに効果的である。さらに、脳の神経を刺激することで、認知症の防止にも効果がある。
【００２８】
眼球運動をする際の眼球運動補助具１の動きの態様は、特に制限されず、使用者によって動きの態様を自由に決定し、各使用者に応じた態様の運動をすればよいが、特に、眼球を左右に大きく動かす眼球運動をすることが重要である。具体的には、前述したような略８の字の運動が考えられる。つまり、最初は左の手で補助具１を持ち、８の字形に補助具１を振り回し、注視マーク２（マーク部２Ａ，２Ｂ）に追従して眼球を動かし、それから右の手に持ち替えて、同様な運動をする。このように左右の手で交互に補助具１を持ち替えて、同様な運動を繰り返せばよい。
【００２９】
また、補助具１を略８の字形に動かすほか、左から右に、右から左に直線状に交互に動かしたり、大きな円を描くように丸く動かしたり、上下方向において大きく動かしたりするようにしてもよい。
【００３０】
この眼球運動補助具１は、眼球運動の際に、左右の手を交互に左右方向や上下方向において大きく動かすことになるので、肩こりも解消される。
【００３１】
続いて、最も望ましい実施形態である眼球運動補助具１１について説明する。
（最も好ましい実施の形態）
図２に示すように、眼球運動補助具１１は、板状の補助具本体部１３と、補助具本体部１３に連接され使用者が把持する棒状の把持部１４とを有し、注視マーク１２は、ＬＥＤで形成されている、３つのマーク部、つまり内側マーク部１２Ａ、中間マーク部１２Ｂおよび外側マーク部１２Ｃからなり、それらのマーク部１２Ａ，１２Ｂ，１２Ｃの点灯スイッチ１５は、把持部１４の、補助具本体部１３に連接される部分付近に設けられている。なお、これらマーク部１２Ａ〜１２Ｃは、点灯するだけでなく、点滅するようにすることも可能である。なお、注視マーク１２は、ＬＥＤに代えて、光を反射するシート材や普通の電球を使用して形成することも可能である。
【００３２】
具体的には、内側マーク部１２Ａは、中心円形部１２Ａａ（例えば黒色）とその外側の中央環状部１２Ａｂ（例えば赤色）とからなり、中間マーク部１２Ｂは、左右方向に延びる横瞳状部１２Ｂａ（例えば緑色）と上下方向に延びる縦瞳状部１２Ｂｂ（例えば緑色）とからなり、外側マーク部１２Ｃは、マーク部１２Ａ，１２Ｂの外側に配置され中央環状部１２Ａｂより大径の外側環状部（例えば青色）となっている。なお、この実施の形態では、補助具本体部１３は、猫をイメージしており、耳部１３ａ，１３ａを設けている。
【００３３】
このような眼球運動補助具１１を用いて、前述したようにミミヅク運動をすることで、前述した場合と同様に、脳の神経に刺激を与え、脳の活性化を図ることができる、などの効果が得られる。
【００３４】
前記実施の形態では、注視マークを、反射するシート材のみ、あるいはＬＥＤのみで形成しているが、反射するシート材とＬＥＤとを併用して、注視マークを形成することも可能である。例えば内側マーク部や中間マーク部をＬＥＤで形成し、外側マーク部を光を反射するシート材で形成するようにしてもよい。
【符号の説明】
【００３５】
１，１１  眼球運動補助具
２，１２  注視マーク
２Ａ  内側マーク部
２Ｂ  外側マーク部
１２Ａ  内側マーク部
１２Ａａ  中心円形部
１２Ａｂ  中央環状部
１２Ｂ  中間マーク部
１２Ｂａ  横瞳状部
１２Ｂｂ  縦瞳状部    
２Ｂ，１２Ｃ  外側マーク部
３，１３  補助具本体部
１３ａ  耳部
４，１４  把持部
１５  点灯スイッチ
【図１】
0003198034.tif 000003
【図２】
0003198034.tif 000004